(57)【要約】【課題】建築物の軒先に配設される軒樋に雪が堆積したり落ち葉等が混入することがなく、該軒樋が適正位置に取り付けられている軒先構造を提供する。【解決手段】本発明の軒先構造は、建築物の軒先に配設される軒樋１が位置規制されて取り付けられる軒先構造であって、建築物の外装面（５Ｃ）に取り付けられる軒先唐草９に、前記軒樋１の軒先端と係合すると共に前記軒樋１の上面を覆うカバー材２の建築物側（２３）に固定される被固定部９３、前記軒樋１の建築物側（１３１）を支持する支持部９２の何れか一方又は両方が設けられていることを特徴とする。【選択図】図１
2019007238.tif 000002
【特許請求の範囲】
【請求項１】
建築物の軒先に配設される軒樋が位置規制されて取り付けられる軒先構造であって、
建築物の外装面に取り付けられる軒先唐草に、前記軒樋の軒先端と係合すると共に前記軒樋の上面を覆うカバー材の建築物側に固定される被固定部、前記軒樋の建築物側を支持する支持部の何れか一方又は両方が設けられていることを特徴とする軒先構造。
【請求項２】
外装材への取付部とカバー材の被固定部と軒樋の建築物側を支持する支持部とを備える軒先唐草を用いることを特徴とする請求項１に記載の軒先構造。
【請求項３】
軒樋と縦壁面との隙間を隠す化粧部を備える軒先唐草を用いることを特徴とする請求項１又は２に記載の軒先構造。
【発明の詳細な説明】
【技術分野】
【０００１】
本発明は、建築物の軒先に配設される軒樋に雪が堆積したり落ち葉等が混入することがなく、該軒樋が適正位置に取り付けられている軒先構造に関する。
【背景技術】
【０００２】
建築物の軒先には、雨水を流す流水路として各種の軒樋が設けられているが、この軒樋の配設に際しては、墨出しを行ってその取付位置を設定することにより、軒樋が長さ方向に勾配を付けて所定位置に取り付けられている。
【０００３】
このような軒樋としては、例えば特許文献１，２のような上方から吊るタイプの軒樋や特許文献３のような下方から支持するタイプの軒樋が知られている。前記特許文献１，２には、建築物側から軒先へ延在させたアームで軒樋の建築物端と軒先端とを上方から吊り支持する構造が提案され、特許文献３には、建築物側から軒先へ延在させたアームで軒樋の底面を下方から支持する構造が提案されている。
【０００４】
また、特許文献４，５に記載の軒樋支持具のように、鼻隠し（縦壁面）に対して軒樋の配設角度を調整することができる構造も提案され、特許文献６に記載の取付構造のように、円弧状の二重構造で勾配に対応しようとする構造も提案されている。
【０００５】
なお、前記特許文献１〜６には含まれていないが、軒樋の中に雪が堆積したり、雨水に混じって落ち葉等が混入して閉塞状態となってしまうことを防止するため、前記軒樋の表面にはカバー材を配設した構造を採用することが多い。尤も、このようなカバー材は、カバー材を含めた軒樋の荷重を大きくしてしまう。
【先行技術文献】
【特許文献】
【０００６】
【特許文献１】特開２０１６−１９９８７２号公報
【特許文献２】特開２０１５−１８７３７１号公報
【特許文献３】特開２０１６−１９６７８０号公報
【特許文献４】特開２０１６−０４７９８７号公報
【特許文献５】特開２０１３−０６４２７１号公報
【特許文献６】特開２００８−０５７１１０号公報
【発明の開示】
【発明が解決しようとする課題】
【０００７】
しかしながら、前記特許文献１〜６における軒樋吊具、軒樋支持具、カバー材は、何れも鼻隠し壁面に横ビス等で固定した構造であるため、鼻隠し壁面を基準面とする墨出しを必要とするものであった。なお、前記特許文献４〜６には軒樋の向き角度を調整する構造であるが、そのような向き角度は軒樋が略水平状に配設されることを前提とするものであって、配設角度を調整できるものではなかった。
【０００８】
また、前記特許文献１〜６の構造では、軒樋の自重及び内部に流入する雨水等の荷重が横ビス及び鼻隠し壁面に集中するので、その老朽化に伴って支持強度も極端に低下するという問題もあった。
【０００９】
そこで、本発明は、建築物の軒先に配設される軒樋に雪が堆積したり落ち葉等が混入することがなく、該軒樋が適正位置に取り付けられる軒先構造を提案することを目的とする。
【課題を解決するための手段】
【００１０】
本発明は、上記に鑑み提案されたもので、建築物の軒先に配設される軒樋が位置規制されて取り付けられる軒先構造であって、建築物の屋根面を形成する外装材へ取り付けられる軒先唐草に、前記軒樋の軒先端と係合すると共に前記軒樋の上面を覆うカバー材の建築物側に固定される被固定部、前記軒樋の建築物側を支持する支持部の何れか一方又は両方が設けられていることを特徴とする軒先構造に関するものである。
【００１１】
また、本発明は、前記軒先構造において、外装材への取付部とカバー材の被固定部と軒樋の支持部とを備える軒先唐草を用いることを特徴とする軒先構造をも提案する。
【００１２】
また、本発明は、前記軒先構造において、軒樋と縦壁面との隙間を隠す化粧部を備える軒先唐草を用いることを特徴とする軒先構造をも提案する。
【発明の効果】
【００１３】
本発明の軒先構造は、墨出しを行うことなく、また建築物の軒先に配設される軒樋を覆うカバー材を用いたものであって、軒樋に雪が堆積したり落ち葉等が混入することがなく、該軒樋が適正位置に取り付けられている。
【００１４】
また、外装材への取付部とカバー材の被固定部と軒樋の支持部とを備える軒先唐草を用いた軒先構造は、軒樋の軒先端、建築物側端の両サイドから、軒樋の荷重を保持できる。
【００１５】
さらに、この場合の軒先構造は、カバー材と外装面（を形成する外装材）とが一体的に連結されるので、強固な軒先構造となって一体感を有する意匠性を呈する。
【００１６】
また、これらのカバー材や外装材、及び軒樋を形成（成形）する原料板材を同材とすることにより、更なる一体感と意匠感を得ることができる。
【００１７】
さらに、軒樋と縦壁面との隙間を隠す化粧部を備える軒先唐草を用いた軒先構造は、該隙間を下方から見上げた際にも化粧部に隠されているので、美麗な外観となる。
【図面の簡単な説明】
【００１８】
【図１】（ａ）本発明の軒先構造の一実施例（第１実施例）を示す側断面図、（ｂ）それに用いた軒先唐草を示す側面図である。
【図２】（ａ）本発明の軒先構造の他の一実施例（第２実施例）を示す側断面図、（ｂ）それに用いた軒先唐草を示す側面図である。
【図３】（ａ）本発明の軒先構造の他の一実施例（第３実施例）を示す側断面図、（ｂ）それに用いた軒先唐草を示す側面図、（ｃ）補助材を示す側面図である。
【図４】（ａ）本発明の軒先構造の他の一実施例（第４実施例）を示す側断面図、（ｂ）その側面図、（ｃ）それに用いた軒先唐草を示す側面図、（ｄ）補助材を示す側面図である。
【図５】（ａ）本発明の軒先構造の他の一実施例（第５実施例）を示す側断面図、（ｂ）それに用いた軒先唐草を示す側面図、（ｃ）補助材を示す側面図である。
【発明を実施するための形態】
【００１９】
本発明の軒先構造は、建築物の軒先に配設される軒樋が位置規制されて取り付けられる構造であって、建築物の屋根面を形成する外装材へ取り付けられる軒先唐草に、前記軒樋の軒先端と係合すると共に前記軒樋の上面を覆うカバー材の建築物側に固定される被固定部、前記軒樋の建築物側を支持する支持部の何れか一方又は両方が設けられていることを特徴とし、軒樋に雪や落ち葉等が混入することがなく、該軒樋が適正位置に取り付けられているものである。
【００２０】
前記本発明の軒先構造に用いる軒樋は、内部に雨水等の排水路が設けられているものであれば、底面及び両側面の形状は特に限定するものではないが、建築物側の下方には、下方からこの軒樋を支持させるための（例えば角状の）被支持部が形成されていることが望ましい。そして、この軒樋の上面を覆うようにカバー材が取り付けられている。
【００２１】
前記カバー材は、その軒先端が軒樋の軒先端と係合して取り付けられるものであって、後述する図示実施例に示すように軒先端に下方へ更に内側へ折曲した略コ字状の係合部を設けてその裏面側に軒樋の軒先端を係合する構成が望ましい。この略コ字状の係合部は、軒樋の軒先端を上方から引っ張るように保持して軒樋の荷重を保持できる。このカバー材は、内部に降雪が堆積したり、落ち葉等が侵入、堆積したり、鳥類等が巣作りすることを防止する部材であって、その表面には雨水を内部へ導く導水口、例えば小径のスリット孔が形成されている。即ちこのカバー材は、前述の有効な目的の下に配設される部材であり、軒樋の軒先端を引っ張るように保持するアームの役割をも果たすものである。
【００２２】
本発明において、軒樋を適正位置に配設するということは、本発明に用いる軒先唐草を構成する三つの部位、即ち
・建築物の外装面への取付部、
・建築物の軒先に配設される軒樋の建築物側を支持する支持部、
・軒樋の軒先端と係合すると共に軒樋の上面を覆うカバー材の建築物側端が固定される被固定部、
のうち、全て一つの部材（単一部材）に設けられていてもよいし、複数部材からなるものでもよいが、少なくとも取付部と支持部、又は取付部と被固定部を有する部材を含む複数部材が望ましい。仮に三つの部位をそれぞれ別々の部材とした場合には、取付部を有する部材に対して他の部材を、例えば係止や嵌合等により一体的に固定可能なものが用いられる。
【００２３】
前記取付部は、この軒先唐草自体を適正位置に配設する為の構成であるから、この取付部を含む部材に、支持部又は被固定部の何れか又は両方を設けることにより、軒樋の建築物側端又は軒先端を適正位置に配設することができる。
【００２４】
したがって、前記三つの部位を全て備える軒先唐草、又は取付部と支持部を備える部材に、被固定部を備える部材を補助的に組み合わせて軒先唐草とするか、、又は取付部と被固定部を有する部材に、支持部を備える部材を補助的に組み合わせて軒先唐草とすることにより、軒樋の軒先端又は建築物側端を適正位置に固定することができ、軒樋の位置規制は果たされる。
【００２５】
前記取付部は、建築物の外装面へ取り付けられる通し材（軒先唐草）に設けられ、外装面を形成する外装材（の軒側成形部）に取り付けられるものでも、外装材の裏面側に配設される外装下地に取り付けられるものでもよいが、両者を併せた構成が望ましい。前者の構成としては、外装材の軒側成形部に係合する係合片が挙げられ、後者の構成としては、外装下地に沿う横片部と外装下地の軒先端に沿う縦片部とからなる略Ｌ字状に形成することにより、容易に且つ安定に外装下地に取り付けることができる。
【００２６】
前記支持部は、建築物（の鼻隠し壁面）に固定されるピース材又は通し材に設けられ、軒樋の建築物側を支持するものであって、例えば前述のように建築物側壁面の下方に、下方からこの軒樋を支持させるための（例えば角状の）被支持部を設け、該被支持部を下方から支持することができるものであれば、特にその具体的構成を限定するものではない。
【００２７】
なお、前記支持材には、併せて保持部の構成、例えば下方が開放する溝状部を設けることにより、軒樋の建築物側の上端を前記溝状部に差し込んで取り付けを容易にすると共に配設後の安定性（被支持部と溝状部間に嵌合状に保持）を向上させるようにしてもよい。
【００２８】
前記被固定部としては、軒樋の上面を覆うカバー材を介して軒樋の軒先端を吊り支持する部位であり、カバー材と軒樋の軒先端どうしが係合しているので、カバー材の上端（構造物側端）を固定することにより、軒樋の軒先端も適正位置に固定することができる。
【００２９】
この被固定部は、建築物（の鼻隠し壁面）に固定される支持材に設けてもよいし、外装面（の外装下地や外装材）に固定される取付材に設けてもよい。
【００３０】
前述のように前記取付部、前記支持部、前記被固定部が全て一つの部材（単一部材）に設けられている場合の軒先唐草は、建築物の外装面へ前記取付部を取り付け（沿わせ）、前記支持部を建築物の縦壁面（鼻隠し）に沿わせた状態でそれぞれの部位に固着具を打ち込んで固定する。
【００３１】
なお、予め取り付ける軒樋及びカバー材の寸法に応じて軒先唐草を構成する各部位を形成しているので、適正位置に軒先唐草が取り付けられれば、それに併せて軒樋及びカバー材も適正位置に配設される。
【００３２】
その施工に際しては、前述の単一部材の軒先唐草を取り付けた後、固定された軒先唐草に対して前記軒樋及び前記カバー材を取り付けるのであるが、前述のように軒樋の建築物側の上方（上端）を保持する構成を設けている場合には、容易に軒樋を配設することができ、該軒樋の建築物側の側面を前記支持部に固着具にて固定すればよい。また、カバー材を配設する際には、その建築物側端を前記被固定部に沿わせた状態で固着具にて固定すればよく、これらの軒樋及びカバー材の軒先端同士を係合すれば、適正位置に取り付けることができる。
【００３３】
また、前述のように前記取付部、前記支持部、前記被固定部が複数部材に設けられて軒先唐草を構成している場合にも、まず取付部を含む軒先唐草を取り付ける点は同様であるが、固定された軒先唐草に対して直接的にその他の補助材を、係止や嵌合等にて取り付ける。或いは、補助材を鼻隠し壁面に沿わせつつスライドさせて軒先唐草に当接した箇所を固定する等にて取り付けるものでもよい。
【実施例１】
【００３４】
図１（ａ）に示す第１実施例の軒先構造(I)は、外装下地（５Ｃ）の軒先部分に係合状に取り付けられる取付部９６、カバー材２の固定部２３を固定する被固定部９３、軒樋１の建築物側を支持する支持部（９４，９２）を一部材に備えている軒先唐草９を用いた一例であって、軒樋１に雪や落ち葉等が混入することがなく、該軒樋１が適正位置に取り付けられているものである。
【００３５】
なお、各部材における部位において、「建築物側」や「軒先側」などの文言を用いて説明してきたが、当該実施例では、符号を付して説明しているので、「内側」や「外側」、「上側」や「下側」といった文言で説明を簡略化する。特に「建築物側」とは、軒樋１の「内側」を示し、カバー材２の「上側」を示すので、そのように表記する。
【００３６】
この軒先構造(I)における軒樋１は、略水平状の底面１１の軒先側（図面では左側）に、三つの傾斜面と二つの略水平面とで構成される段状の（外）側面１２が形成され、前記底面１１の内側（図面では右側）には、略垂直状に起立する（内）側面１３が形成され、これらの底面１１及び側面１２，１３にて雨水等の排水路が形成されている。
【００３７】
前記軒先側の側面１２の上端に位置する傾斜面と略水平面は、カバー材２に保持（係合）される軒先端１２１である。
【００３８】
また、前記内側面１３の下端には、隅部状の被支持部１３１が設けられ、軒先唐草９に下方から支持される部位である。
【００３９】
また、この軒先構造(I)におけるカバー材２は、内部に落ち葉等が侵入、堆積することを防止する落ち葉除けであって、その表面（化粧面２１）には雨水を内部へ導く導水口２１１として複数の小径のスリット孔が形成され、その下端である軒先端（係合部）２２が前記軒樋１の軒先端１２１と係合して取り付けられ、その上端付近に軒先唐草９に固定される固定部２３が形成されている。なお、略垂直状に折り上げたその上端２４を、最も軒側の外装材６Ｄの軒側成形部６２の裏面側に臨ませている。
【００４０】
前記軒先端２２は、化粧面２１の下端から斜め上方へ延在し、その先端を下方へ折曲し、更にその下端を内側へ折曲した略コ字状の係合部を形成している。
【００４１】
前記固定部２３は、化粧面２１の上端付近に位置する部位であって、当該第１実施例では、建築物（５Ａ）に固定される軒先唐草９に連絡されて取り付けられている。
【００４２】
この第１実施例に用いた軒先唐草９は、図１（ｂ）に示すように略垂直状の縦面である固定部９１の下端を略水平状に延在させて支持部９２とし、前記固定部９１の上方には、斜め下方へ延在する突出片９１２が形成され、該突出片９１２と固定部９１との間に下方が開放する溝状部９４が形成されている。なお、前記固定部９１には固着具９ｃが打ち込まれる打ち込み孔９１１が形成されている。
【００４３】
また、前記固定部９１の上端には、縦片（＝取付部９６を形成する縦片）を介して横片部９５が形成され、該横片部９５の上方（図面の左方）部分９５１が外装下地（５Ｃ）の上面に沿い、その下方（図面の右方）部分９５２が最も軒側の外装材６Ｄの軒側成形部６２に嵌合する。この前記横片部９５の中央から下方へ垂下する縦片の内側空間が、外装下地（５Ｃ）の軒先部分に係合状に取り付けられる取付部９６である。さらに、前記取付部９６の外側（図面の左方）には、カバー材２の上端部分を裏面側から支持すると共にその固定部２３を固定する略弧状斜片である被固定部９３が設けられている。
【００４４】
その他の構成を簡単に説明すると、図中の５ＢはＨ躯体、５Ｃは軒棟方向に敷設された構造材（＝断熱材及び軽量鋼材）、５ｄはその上面に敷設された防水シートであり、６Ａは外装材（最も軒先側の外装材のみ６Ｄ）、６ｂはそれを取り付ける吊子、６ｆは外装材の裏面側に添設された裏貼り材、６ｇは鼻隠し壁面５Ａの外側を被覆する化粧材である。
【００４５】
そして、横葺き外装材である外装材６Ａ（６Ｄ）は、略平坦状の面板部６１の軒側、棟側に設けられて相互に係合する軒側成形部６２、棟側成形部６３を備え、構造材５Ｃに固定された吊子６ｂや前記取付材４にて取り付けられ（敷設され）ている。
【００４６】
前記軒先唐草９は、墨出しを行うことなく適正位置に配設でき、即ち軒樋１の位置決めにも貢献するという効果を有するものである。そのため、この軒先唐草９を用いて軒樋１等を配設する施工も極めて容易に行うことができる。
【００４７】
以下に、その施工を簡単に説明するが、第１に前記軒先唐草９を適正位置に固定し、第２に軒樋１を固定し、第３にカバー材２を取り付けるという手順で容易に施工できる。
【００４８】
まず、軒先唐草９を適正位置に固定するには、外装面を形成する構造材５Ｃの軒先端に取付部９６を嵌合させるように取り付け、固着具９ｂにて構造材５Ｃの上面に沿わせるように取り付けるが、その際、鼻隠し壁面５Ａに固定部９１を沿わせて固定具９ｃにて取り付けるので、固着具９ｂ，９ｃの固定作業を安定に行うことができ、またこの軒先唐草９は二箇所の固定にて安定に取り付けられる。
【００４９】
次に、固定した軒先唐草９に対し、軒樋１の内側面１３の上端を溝状部９４に差し込むと共に被支持部１３１が支持部９２に支持されるように配設し、軒先側（図面左側）から固着具１ｂを打ち込んで鼻隠し壁面５Ａに固定する。
【００５０】
なお、この時点では軒樋１は、一方（図面右側）のみが固定されているに過ぎないので、施工作業者が部材の変形を防止する為に下方から保持しておく必要がある。
【００５１】
更に、カバー材２を、固定した軒樋１の上面を覆うように配設し、その上端に設けた固定部２３を、軒先唐草９の連絡部（係止受部）９３に固着具２ｂにて取り付ける（固定する）が、その際、カバー材２の軒先端２２は、略コ字状の係合部であるから、軒樋１の軒先端１２１に下方から保持するように係合させることができる。
【００５２】
この構成の軒先唐草９を用いた軒先構造(I)では、軒先唐草９の取り付けも、それに対する軒樋１の取り付けも、カバー材２の取り付けも、それぞれに容易に行うことができる上、墨出しを行うことなく適正位置に配設できる。
【００５３】
また、軒先唐草９の固定は、構造材５Ｃ及び鼻隠し壁面５Ａのそれぞれに跨っているので、軒樋１等の荷重を外装面及び建築物の両方に負担させることができ、固定箇所への負担も一箇所に集中させることがないので、継続的に安定な取付となる。
【００５４】
図２（ａ）に示す第２実施例の軒先構造(II)は、外装面（構造材５Ｃ）の配設角度が略水平状であるため、それに応じて取付部９６'の角度が異なる以外は、殆ど前記軒先構造(I)における軒先唐草９と同様の軒先唐草９'を用いたものであるから、図面に同一符号を付して説明を省略する。
【００５５】
この軒先構造(II)では、軒樋１もカバー材２も、前記軒先構造(I)に用いたものと殆ど同様であるが、傾斜勾配が緩やかな（略水平状の）外装面である点が相違するので、前記部材１，２については図面に同様の符号を付して説明を省略する。
【００５６】
また、この軒先構造(II)における外装面は、外装下地については前記軒先構造(I)と同様としたが、鼻隠し壁面５Ａの外側をボード状の化粧材６ｈが被覆し、その外装下地の上に縦葺き外装材である外装材７Ａを保持部材７ｂにて取り付けている（図面の符号７ｃは保持部材７ｂを固定する固着具である）。
【００５７】
そして、この軒先構造(II)に用いた軒先唐草９'も、前記第１実施例における軒先唐草９と全く同様の効果を奏することができ、前述の軒樋１を適正位置に固定できる効果、及び軒樋１を安定に保持できる効果を有する。
【００５８】
図３（ａ）に示す第３実施例の軒先構造(III)は、取付部４２と被固定部４４と上方保持部（４８）を備える軒先唐草４と、下方保持部（支持部３２）を備える補助材３とを用いて軒樋１及びカバー材２を取り付けた構造である。
【００５９】
前記軒先唐草４は、図３（ｂ）に示すように略コ字状の取付部４２の下端から下方へ略垂下状に延在する当接片４７と、短い横片を介して更に下方へ略垂下状に延在する延在片４６が形成され、前記取付部４２の外側（図面の左方）には、カバー材２の上端部分を裏面側から支持すると共にその固定部２３を固定する略弧状斜片である被固定部４４が設けられている。
【００６０】
また、前記補助材３は、図３（ｃ）に示すように縦片である固定部３１と横片である支持部３２をからなる略Ｌ字状片であって、これらの二部材にて図３（ｃ）に示す軒先構造(III)において軒樋１を前記第１，第２実施例と同様に安定に配設できる。
【００６１】
なお、この第３実施例の軒先唐草４は、取付部４２と被固定部４４とを備える部材であって、更に上方保持部（４８）を形成するものであり、補助材である支持材３に下方保持部（支持部３２）が設けられている。
【００６２】
即ちこの第３実施例における軒先唐草４は、前記第１，第２実施例の軒先唐草９，９'のように突出片９１２を備えていないが、当接片４７が鼻隠し壁面５Ａに沿うように配設され、略垂下状の延在片４６と鼻隠し壁面５Ａとが僅かな間隔を隔てて対向状に配設されるため、下方が開放する溝状空間が軒樋１の内側面１３の上端を保持する上方保持部４８を形成するため、前記第１，第２実施例の軒先唐草９，９'と同様に軒樋１を安定に配設することができる。
【００６３】
図４（ａ），（ｂ）に示す第４実施例の軒先構造(IV)は、取付部４２と被固定部４４とを備える軒先唐草４-2と、上方保持部３４と下方保持部（支持部３２）を備える補助材３-2とを用いて軒樋１'及びカバー材２'を取り付けた構造である。
【００６４】
この第４実施例では、前記第１〜３実施例に用いた軒樋１やカバー材２より幅広の軒樋１'やカバー材２'を用いており、カバー材２'では、図４（ｃ）に示す軒先唐草４-2（の被固定部４４'）に応じて固定部２３'が化粧面２１から略垂直状に立ち上がる起立面状に形成されている。
【００６５】
また、この第４実施例と前記第１〜３実施例との相違の一つは、軒樋１'と鼻隠し壁面５Ａとの隙間の有無であって、この第４実施例に用いた補助材３-2は、図４（ｄ）に示すように前記隙間を隠す化粧部３５１を備える連続材である。
【００６６】
即ち前記補助材３-2は、金属板材等を適宜に成形して形成され、略垂直状の縦面の上端を外側へ折り返して突出片３１２，溝状部３４が形成され、下端を折り曲げて支持部３２が形成され、中間に側方へ略コ字状に突出する成形部が形成され、該成形部の傾斜縦面が固定部３１、下部横面が化粧面３５１であり、下方から見上げた際に美麗な外観を維持するものである。
【００６７】
また、第４実施例に用いた軒先唐草４-2は、略コ字状に形成した取付部４２が外装下地（５Ｃ）の軒先部分に係止状に取り付けられる点では前記第１〜３実施例における軒先唐草９，９'，４と同様であるが、この軒先唐草４-2には、前述のようにカバー材２'に形成した固定部２３'を取り付けるための固定受部４４が起立面状に形成されている。また、取付部４２を形成する縦片が補助材３-2の上端が当接する当接受部４５である。なお、図４（ｄ）における符号４３は、最も軒側の外装材６Ｄの軒側成形部６２に嵌合する嵌合部である。
【００６８】
なお、図４（ａ）と同図（ｂ）との相違は、同図（ａ）が側断面図であるのに対し、同図（ｂ）がそれらの側端部を示す側面図である。
【００６９】
即ち同図（ｂ）に示すように、軒樋１'の側端には符号８Ａで示される納め材が配設され、図示しない下方への縦樋等にて雨水等を排水することができる。また、第４実施例における外装面として、裏面にバックアップ材７ｄが添設された横葺き外装材７Ｃを吊子７ｅで取り付けた構成を採用したが、この構造の屋根面の側端にも、符号８Ｂで示される納め材が配設され、雨水等が側方からバックアップ材７ｄへ染み込んだりすることを防止している。
【００７０】
その他の構成を簡単に説明すると、図中の７ｆは前記吊子７ｅの固着具、５Ｆはボード状構造体、５Ｇは角状構造体、５Ｈは天井材、６ｉは鼻隠し壁面５Ａの外側を被覆する化粧材である。
【００７１】
この第４実施例の軒先構造(IV)では、前記構成の軒先唐草４-2が外装下地（５Ｃ）の軒先部分に係止状に取り付けられた状態で、前記構成の補助材３-2の固定部３１を傾斜状に配設された鼻隠し壁面５Ａ（化粧材６ｉ）に沿ってスライドさせ、その上端３１３が軒先唐草４-2の当接受部４５に当接する箇所で鼻隠し壁面５Ａに固着具３ｂにて固定すればよい。
【００７２】
これらの軒先唐草４-2及び補助材３-2は、それぞれ適正位置に配設されるので、その配設後に軒樋１'及びカバー材２'を適宜に適正位置に取り付けることができる。
【００７３】
図５（ａ）に示す第５実施例の軒先構造(V)は、取付部４２と被固定部４４とを備える軒先唐草４-3と、上方保持部３４と下方保持部（支持部３２）を備える補助材３-3とを用いて軒樋１及びカバー材２を取り付けた構造である。
【００７４】
この第５実施例では、前記第１〜３実施例に用いた軒樋１やカバー材２を用い、外装面としては、前記第２実施例とほぼ同様であり、図面に同一符号を付してその説明を省略する。
【００７５】
この第５実施例に用いた軒先唐草４-3は、図５（ｂ）に示すように前記第１，第２実施例における軒先唐草９，９'の固定部９１が形成されない構成、即ち上半部分とほぼ同様の構成であって、略コ字状に形成した取付部４２、及び軒先側へ突出状に延在する略弧状斜片である被固定部４４を備え、横片部４１の上方（図面の左方）部分４１１が外装下地（５Ｃ）の上面に沿い、排水凹部４１３を挟んで下方（図面の右方）部分４１２が外装材７Ａの軒端を係合させる係合受片である。
【００７６】
また、前記補助材３-3は、図５（ｃ）に示すように中間に側方へ略コ字状に突出する成形部が形成されない以外は前記第４実施例における補助材３-2と同様であって、固定部３１は、略垂直状縦面に形成されている。
【００７７】
この第５実施例の軒先構造(V)では、前記構成の軒先唐草４-3が外装下地（５Ｃ）の軒先部分に係止状に取り付けられた状態で、前記構成の補助材３-3の固定部３１を略鉛直状に配設されたボード状の化粧材６ｈに沿ってスライドさせ、その上端３１３が外装下地（５Ｃ）に当接する箇所で固着具３ｂにて固定すればよい。
【００７８】
これらの軒先唐草４-3及び補助材３-3は、それぞれ適正位置に配設されるので、その配設後に軒樋１及びカバー材２を適宜に適正位置に取り付けることができる。
【符号の説明】
【００７９】
１，１'  軒樋
１１  底面
１２  内側面
１２１  軒先端
１３  外側面
１３１  被支持部
２，２'  カバー部材
２１  化粧面
２２  軒先端
２３，２３'  固定部
３  補助材
３１  固定部
３１１  打ち込み孔
３１２  突出片
３２  下方保持部（支持部）
３３  被固定部
３４  上方保持部（溝状部）
３５１  化粧面
４，４-2，４-3  軒先唐草
４１  横片部
４２  取付部
４４，４４'  被固定部
５Ａ  鼻隠し壁面（建築物）
５Ｂ  Ｈ躯体
５Ｃ  構造材（＝断熱材及び軽量鋼材、外装面、外装下地）
６Ａ  横葺き外装材
６ｂ  吊子
６Ｄ  最軒側の外装材
７Ａ  （縦葺き）外装材
７ｂ  保持部材
７ｃ  固着具
９，９'  軒先唐草
９１  固定部
９２  支持部
９３  被固定部
９４  溝状部
９５  横片部
９６，９６'  取付部
９ｂ，９ｃ  固着具
【図１】
2019007238.tif 000003
【図２】
2019007238.tif 000004
【図３】
2019007238.tif 000005
【図４】
2019007238.tif 000006
【図５】
2019007238.tif 000007